(57)【要約】      （修正有）【課題】ロール逆転時にロール間への指詰めを防止する。【解決手段】膜状物の搬送や延伸に用いる隣り合う２本以上のロールの駆動を制御するための安全装置であって、少なくとも２本のロールを同時に各々正転から逆転させるためのロール逆転駆動用スイッチを複数有し、当該少なくとも２本の隣り合うロールの駆動が安全確認動作後に可能となることを特徴とする、ロール用安全装置。【選択図】図１
2008247490.tif 000002
【特許請求の範囲】
【請求項１】
膜状物の搬送や延伸に用いる隣り合う２本以上のロールの駆動を制御するための安全装置であって、少なくとも２本のロールを同時に各々正転から逆転させるためのロール逆転駆動用スイッチを複数有し、当該少なくとも２本の隣り合うロールの駆動が安全確認動作後に可能となることを特徴とする、ロール用安全装置。
【請求項２】
ロール逆転駆動用スイッチがロール逆転切換スイッチを押した場合に限り使用可能であり、かつ全てのロール逆転駆動用スイッチを押していることによりロールの逆転駆動が可能となることを特徴とする、請求項１に記載のロール用安全装置。
【請求項３】
ロール逆転切換スイッチを押した際に、視覚効果や聴覚効果による注意喚起がされることを特徴とする、請求項１または２に記載のロール用安全装置
【発明の詳細な説明】
【技術分野】
【０００１】
本発明は、フィルム、樹脂などの延伸工程に用いられるロールの安全装置に関するものである。
【背景技術】
【０００２】
フィルム製造（以後、製膜と表現する）において、ロールの周速差を利用しフィルムを延伸する工程があるが、通常時（フィルムの延伸時やロール掃除時など）はロールの回転方向が正転であり、ロール間の巻き込み側には図１の８〜１０のように巻き込み防止バーを設置しているため、ロール間への指詰めが発生しない構造となっている。
【０００３】
しかし製膜中の何らかの異常により、製膜中に延伸工程のロールが非常停止して、フィルムが延伸工程内に残存する場合があるが、延伸前のフィルムは厚みが厚く正転駆動して、下流側からフィルムを抜き出すことが困難な場合がある。
【０００４】
この場合、延伸工程の前後でフィルムを切断して、延伸後のフィルムは正転駆動で下流側に、延伸前のフィルムは延伸前のロールのみを逆転駆動し、上流側から抜き出す必要があるが、ロールが逆転駆動するため図１の８〜１０の巻き込み防止バーが機能せず、指詰めの発生の可能性があり危険な状態となる。逆転駆動用の巻き込み防止バーを設置することにより、安全性を確保することも可能ではあるが、ロール掃除の作業性が著しく低下するという課題がある。
【０００５】
また、その他の問題点として、延伸工程内に残存したフィルムを抜き出すために、延伸工程内に侵入した作業者の手が、万が一何らかの事情でロール間に巻き込まれそうになった場合、混乱状態となり、備え付けの緊急停止スイッチを咄嗟に作用させることが出来ずに指が巻き込まれ、災害となる可能性がある。
【０００６】
従来の技術である感圧式安全装置や非接触センサ式安全装置（赤外線、光軸遮光型、静電容量など）を使用し作業者の手がロール間に巻き込まれそうになった場合ロールを直ちに停止させる安全装置はあるが、人体だけではなく残存したフィルムを抜き出す際にフィルム自体が反応する可能性があるため作業性が低下するという問題があった。
【０００７】
具体的なロール用安全装置の例としては、下記（１）〜（２）に示されるものが提案されている。
【０００８】
（１）ワークサイド上面から見て、巻き込み方向に回転する一対のロール間上面の軸方向全長に亘って、少なくとも該ロールの回転方向に直交する側面全長に感圧センサを貼着した覆い板を配置し、該感圧センサの出力端と、ロールの緊急制動器の入力端とをリード線を介して接続してなることを特徴とする混練りロール用安全装置（特許文献１参照）。
【０００９】
（２）複数の投光器と受光器の少なくとも１組を、相対向して設置した光線式安全装置と、該光線式安全装置の遮光された遮光光軸数が所定の光軸数（フローティング光軸数）以下のときにのみ運転許可信号を出力するようにしたフローティング制御装置と、ロール機の運転モードを切り換える切換スイッチと、ロール機の回転速度および回転方向を監視する回転速度監視装置と、光線式安全装置の安全距離が所定の値以上であることを監視する安全距離監視装置を備え、切換スイッチで指定した作業の種類に応じて、最適なフローティング光軸数、ロールの回転速度及び回転方向、安全距離などの安全条件を自動的に設定し、安全条件を満足するときに限ってロールを運転させ、安全条件を満足しないとき、または、システムに故障が発生したときは直ちにロール機の運転を停止させる安全制御機構を備えていることを特徴とするロール機用安全装置。（特許文献２参照）。
【特許文献１】実開平５−７４１５号公報
【特許文献２】特開２００３−２０１４７号公報
【発明の開示】
【発明が解決しようとする課題】
【００１０】
この発明は、前記した課題を解決せんとするものであって、その目的とするところは、フィルム製膜装置の延伸工程などに用いられるロールに関して、該ロール駆動の逆転切換時の聴覚・視覚効果による逆転の認識と、複数のスイッチを押すという複数の安全確認により駆動可能となる安全条件を満たすときに限りロールを逆転駆動させることが可能であって、上記の安全条件を満たさないとき、または安全システムに故障が生じたときは直ちにロール機の運転を停止させるロール用安全装置を提供することである。
【課題を解決するための手段】
【００１１】
前記した課題を解決するために、本発明においては、次のような手段を採用するものである。
【００１２】
（１）膜状物の搬送や延伸に用いる隣り合う２本以上のロールの駆動を制御するための安全装置であって、少なくとも２本のロールを同時に各々正転から逆転させるためのロール逆転駆動用スイッチを複数有し、当該少なくとも２本の隣り合うロールの駆動が安全確認動作後に可能となることを特徴とする、ロール用安全装置。
【００１３】
（２）ロール逆転駆動用スイッチがロール逆転切換スイッチを押した場合に限り使用可能であり、かつ全てのロール逆転駆動用スイッチを押していることによりロールの逆転駆動が可能となることを特徴とする、上記（１）に記載のロール用安全装置。
【００１４】
（３）ロール逆転切換スイッチを押した際に、視覚効果や聴覚効果による注意喚起がされることを特徴とする、上記（１）または（２）に記載のロール用安全装置。
【発明の効果】
【００１５】
本発明によれば、逆転切換時の聴覚・視覚効果による逆転の認識と、複数のスイッチを押すという複数の安全確認により駆動可能となる安全条件を満たすときに限りロールを逆転駆動させることが可能であって、上記の安全条件を満たさないときまたは安全システムに故障が生じたときは直ちにロール機の運転を停止させるため、ロール逆転駆動時にロール間への指詰めを防止することができる。
【発明を実施するための最良の形態】
【００１６】
本発明のロール用安全装置は、フィルムなどの膜状物の搬送や延伸に用いる、隣り合う２本以上のロールの駆動を制御するための安全装置である。
【００１７】
本発明のロール用安全装置は、正転駆動・逆転駆動の切換が可能なロールを有する装置であれば特に限定されずに用いることができるが、好ましくはフィルム製膜装置の延伸工程に用いられる。
【００１８】
本発明のロール用安全装置は、少なくとも２本のロールを同時に各々正転から逆転させるためのロール逆転駆動用スイッチを複数有している。ロール逆転用スイッチが１個のみの場合、装置内（延伸部）、装置上流など、複数の安全確認が困難になる。なお、ロール逆転用スイッチの個数の上限は特に限定されないが、作業性の点で５個程度が好ましい。
【００１９】
また、本発明のロール用安全装置においては、少なくとも２本の隣り合うロールの駆動が、安全確認動作後に可能となることを特徴とする。
【００２０】
本発明のロール用安全装置においては、ロール逆転駆動用スイッチの使用が、ロール逆転切替スイッチを押した場合に限り使用可能であって、かつ全てのロール逆転駆動用スイッチを押している場合に限り、ロールの逆転駆動が可能となることが好ましい。
【００２１】
ロール逆転切換スイッチを押さなくても、ロール逆転駆動用スイッチが使用可能な場合、また、全てのロール逆転駆動用スイッチを押さなくてもロールの逆転駆動が可能な場合の問題点として、前者の場合は、ロール逆転切換スイッチを押す確認作業がなくなるため、ロールに指などが巻き込まれやすくなり、後者の場合は、誤って装置内に人が入った場合に直ちに装置を停止することが困難になる点が挙げられる。
【００２２】
また、本発明のロール用安全装置は、複数のロール逆転駆動用スイッチを有すれば、その設置場所は特に限定されないが、好ましくは複数のロール逆転駆動用スイッチのうち一方は延伸機の上流付近、他方は延伸工程に設置するという構成である。
【００２３】
上記のようにロール逆転駆動用スイッチの設置位置を分けることで、各々の死角をなくす効果があり、装置内に人が入った危険な状態に気付きやすくなる点で好ましい。
【００２４】
本発明のロール用安全装置は、ロール逆転切換スイッチをフィルム製膜装置の延伸工程付近に設置し、該ロール逆転切替スイッチを押すことにより、聴覚効果や視覚効果（例えば、音声案内・パトライト・ブザー・チャイムなど）により注意喚起されて、ロール逆転駆動が生じる事の認識が可能となる装置を取り入れることがより好ましい。
【００２５】
このように構成した本発明にかかる安全装置は、作業者が延伸機内に立ち入ることを牽制する効果があり、万が一、延伸機内に人が入って来た場合にも、複数のロール逆転駆動用スイッチの内、少なくとも1つでも運転条件を満たさないと、直ちにロール機の運転が停止するため、指などの巻き込みを阻止することが可能である。
【００２６】
図１には本発明のフロー図を示す。ここに示すようにロール逆転切換スイッチ３を切り換えることにより、ロール逆転駆動用スイッチが使用可能となると同時に、音声付きパトライトを起動させ注意喚起するが、好ましくは、延伸機の扉に「扉閉止」の条件を加えるとよい。
【００２７】
音声付きパトライトの設置位置は、延伸機内とロール逆転駆動用スイッチ付近に音声または視覚的に注意喚起出来る場所であればいずれでもよい。
【００２８】
図２は、フィルム製膜装置における延伸工程のロール部分の概略図である。ここに示すように、延伸工程周辺にロール逆転駆動用スイッチ１，２を設置する場合、設置場所は延伸工程内の状態が確認できる位置であればいずれでもよいが、延伸工程上流側と延伸部付近の少なくとも２箇所以上に設置することが好ましい。
【００２９】
このような構成において、ロール逆転切換スイッチ３を切り換えることにより音声付きパトライト１１が起動するため、延伸機内外の人に注意を喚起することができる。
【００３０】
運転者は、延伸機内の安全確認を実施した後、ロール逆転駆動用スイッチ１、２をそれぞれ押すことによりロールが逆転駆動するが、逆転駆動時の速度は変更出来ないよう定数としておくことが好ましい。逆転駆動時の速度が変更できる場合、フィルム除去作業時において、フィルム除去速度が変化することとなるため、フィルム除去作業が不安全になりやすいためである。
【００３１】
万が一、逆転駆動中に延伸機内に人が立ち入った場合は、ロール逆転駆動用スイッチ１，２のどちらか一方を放すことで安全条件を満たさなくなり、直ちにロール機の運転を停止することが可能であるが、逆転時に人を延伸機内に立ち入れないようにするために、延伸機内の扉に「扉閉止」の条件をインターロックとして安全条件に加えておくことがより好ましい。
【００３２】
複数のロール逆転駆動用スイッチを設置し、安全確認することで、死角となる箇所をなくすことが可能となり、死角の多い大型の延伸機では特に有効である。
【産業上の利用可能性】
【００３３】
本発明は、フィルム、樹脂などの搬送・延伸工程に用いられるロール機の安全装置として好適に利用できる他、繊維、製紙などの用途にも適用可能である。また、塗布装置におけるロール用安全装置としても適用可能である。
【図面の簡単な説明】
【００３４】
【図１】本発明の一実施形態におけるフロー図である。
【図２】フィルム製膜装置における延伸工程のロール部分の概略図である。
【符号の説明】
【００３５】
１    ロール逆転駆動用スイッチ
２    ロール逆転駆動用スイッチ
３    ロール逆転切換スイッチ
４    ロール
５    ロール
６    ロール
７    ロール
８    巻き込み防止バー
９    巻き込み防止バー
１０  巻き込み防止バー
１１  音声付きパトライト
【図１】
2008247490.tif 000003
【図２】
2008247490.tif 000004